(57)【要約】      （修正有）【課題】災害時の命を守る頭部保護の頭巾で避難行動の際、視野・聴覚の確実な判断の出来る防災頭巾を提供する。また避難前方を照明するようにする。【解決手段】緩衝性の頭巾１の前面の一部および上部を難燃性素材により透明にすることで視野を広くする。且つ耳の部分には小穴３数個を設けて音声等の収集を確実にする。さらには頭巾をかぶり易くするように頭巾の折り目にライトを脱着自在に装着して、避難を有利に進める。【選択図】図１
0003135186.tif 000002
【実用新案登録請求の範囲】
【請求項１】
頭部を主として保護する概ね二つ折りにされ後頭部に対応する部分が接合された頭巾に於いて、その頭巾の前方にあたる両側と頭上にかけて難燃性の透明素材でフード部分を形成したことを特徴とする防災頭巾。
【請求項２】
前記透明素材で形成されたフード部分は耳にあたる部分におよび、その透明素材の耳の部分に音や声の情報の取得が有利となる小穴を数ヶ開けたこと特徴とする前期請求項１の防災頭巾。
【請求項３】
前期頭巾の二つ折りに相当する頭巾の頂部には、取り付け自在に、照射部を頭巾前方に向けたライトが装着されたことを特徴とする前記請求項１の防災頭巾。
【請求項４】
前記頭巾は頭部を覆う部分が緩衝性の厚い素材で構成されており、耳にあたる部分の頭上方向には存在するが耳にあたる部分にはなく、その耳にあたる部分で後退した緩衝性の厚い素材に代わって設けられた前記透明素材のフード部分が形成されていることを特徴とする前記請求項２記載の防災頭巾。
【請求項５】
前記頭巾の前記ライトは、ＬＥＤを光源とし、人体頭部に不快感を与えないように小型化されていることを特徴とする前記請求項３記載の防災頭巾。
【考案の詳細な説明】
【技術分野】
【０００１】
本考案は、地震等災害発生緊急時に於いて、頭巾を装着したときに頭部を保護することはもちろん、視野を広く確保し、聴覚がふさがれることを防止し、さらに頭巾がかぶり易くなるように頭巾の二つ折りの開閉を容易にして、しかも避難の前方を照明できることにより、避難を有利に導く防災頭巾を提供することに関する。
【背景技術】
【０００２】
地震など災害発生時には、まず命を守るための頭部保護に頭巾を装着することが行われていた。その頭巾によって、色々な情報がさえぎられることになるので、例えば特開２０００−１１９９１１号では、懐中電灯やイヤホンを頭巾に埋め込み、その電源を頭巾のすそ部分に埋め込んでいた。しかしこれでは頭巾が重くなるし、平常時が長くなると電池が消耗し、電池がなくなるとイヤホンなどは役に立たない。さらに、もっと基本的なことは、従来の頭巾に於いては左右や頭上方向の視野が遮られて行動をにぶらせる問題があった。
【特許文献１】特開２０００−１１９９１１号公報
【考案の開示】
【考案が解決しようとする課題】
【０００３】
このような従来技術を考慮すると、頭巾を装着することにより視野と聴覚をせばめ避難行動に支障をきたさない方法をかんがえねばならなかった。
【課題を解決するための手段】
【０００４】
そこで本考案は、頭部を主として保護する概ね二つ折りにされ後頭部に対応する部分が接合された頭巾に於いて、その頭巾の前方にあたる両側と頭上にかけての一部を難燃性の透明素材を使用したことでフード部分を形成したことを特徴とする防災頭巾にある。
また、そのような防災頭巾において、頭部を主として保護する頭巾の透明素材で形成されたフード部分は耳にあたる部分におよび、その透明素材の耳の部分に音や声の情報の取得が有利となる小穴を数ヶ開け、頭巾は頭部を覆う部分が緩衝性の厚い素材で構成されており、耳にあたる部分の頭上方向には存在するが耳にあたる部分にはなく、その耳にあたる部分で後退した緩衝性の厚い素材に代わって設けられた透明素材のフード部分を形成したものである。
さらには、頭巾の二つ折りに相当する頭巾の頂部には、取り付け自在に、照射部を頭巾前方に向けたライトを装着したもので、そのライトは、ＬＥＤを光源とし、人体頭部に不快感を与えないように小型化したものである。
【考案の効果】
【０００５】
このような構成にすることにより、災害発生時に頭巾装着の際、頭巾前面両側の透明なフード部分により視野を確保し、耳の部分の小穴では音・声の聞き取りも確実となり、さらには二つ折りのライトにより頭巾の開閉、装着が容易であって、装着後は前方などを明るく照らすことができるので、避難時に迅速な行動に移れる。
【考案を実施するための最良の形態】
【０００６】
以下本考案の実施の形態について図１〜図２を用いて説明する。
【実施例】
【０００７】
図１、１に示すように、頭部を主として保護する、概ね二つ折りにされ後頭部に対応する部分が接合された頭巾１がある、このような頭巾は、たとえば頭巾の主要部を覆う部分が緩衝性の厚い素材で構成されており、それは難燃性のフェルト材とかテント地を難燃性処理したようなもの、あるいは綿入れという構成であって、これ自体は従来からあるものである。
その頭巾１の前方にあたる両側と頭上にかけての一部を難燃性の透明素材を使用したフード部分２を形成する。前方と頭上というのは、災害でものが落下してきたときに直接人体の頭にそのものが当たろうとしたときには前述の頭巾部分１が頭部を保護し、その先に物が落下してきたときに前髪や顔に物が触れないようにフードが役立つように設ける趣旨である。フード部分は、例えばフキレスフラーレというような難燃性エンビフィルム素材を用いる。透明というのは視界が保持できればよく、淡く着色されていてもよい。
頭巾の顔の前面部はすぐ切れてしまうと、その先にものが落下してきたときに前髪や顔にものが触れてなくても、怖い感じがしたり、鼻の頭をこすったりするのである程度先まで延長させておきたいが、それによって視野が狭くなる。本考案は顔の先まで頭巾が伸びてもそこは透明なので、視野をさえぎらない。また頭巾の厚い素材が耳にかかあると、うざいだけでなく、声や音という情報がさえぎられてしまう。そこで、本考案では頭の先まで厚い緩衝材があるが、耳の部分は厚い緩衝材はないようにして、代わりに透明素材が耳の部分を覆う。透明素材では、厚い緩衝材より穴があけやすいので、耳にあたる部分には複数の小穴を開けておく。これによって、外部の音や声は拾いやすくなる。
【０００８】
つまり、そのような防災頭巾において、頭部を主として保護する頭巾１の透明素材で形成されたフード部分２は耳にあたる部分におよぶように逃げがこしらえてあって、その透明素材の耳の部分に音や声の情報の取得が有利となる小穴３を数ヶ開けてある。頭巾は頭部を覆う部分が緩衝性の厚い素材で構成されており、耳にあたる部分の頭上方向には存在するが耳にあたる部分にはなく、その耳にあたる部分で後退した緩衝性の厚い素材に代わって設けられた透明素材のフード部分に小穴３が形成されている。
【０００９】
さらには、巾の二つ折りに相当する頭巾の頂部には、取り付け自在に、照射部を頭巾前方に向けたライトを装着してあり、そのライトは、ＬＥＤを光源とし、人体頭部に不快感を与えないように、透明なフード部分２のみに設けるように、時計電池などを使って長さ３ｃｍなどの短さにするとか、細くして折り目に沿って設けるように単４電池で直径１ｃｍにするなど、小型化されている。ライトを脱着自在にするにはインスタントファスナーを利用することが出来る。ライトはフード部分につけておけば両手が自由で、自分の行き先を照らすことが出来るが、ちょっと周りを見たいときや、もっと足元が危ないときは、取り外して手に持って希望する場所を照らすほうが安全である。
【００１０】
防災頭巾の前両側側面に視野確保のための透明の部分２を有する。その透明部の耳の部分には音・声の収集のための小穴３を施してある。これは例えば直径２ｍｍ前後の透孔を５ｍｍ〜１０ｍｍ程度はなして１０個程度設けたものである。このような小穴は頭巾主要部の生地の厚い部分に設けるのではなく、フード部に設けているので小穴がつぶれることはなく、また音がふさがれたり、こもった音になったりすることはない。
左面内側のポケットには小型ライト小型ティッシュ、ハンカチ等の小物を備えることは過去に災害を受けた人々の実際経験の声として最低限の備品である。
前部のとも紐６は両側固定ではなく、片側止めとし装着時の便利さを優先した。
【００１１】
このような構成にすることにより、災害発生時に頭巾装着の際、頭巾前面両側の透明なフード部分により上下左右の視野を確保し、耳の部分の小穴では音・声の聞き取りも確実となり、さらには二つ折り部分のライトにより頭巾の開閉、装着が容易であって、装着後は前方などを明るく照らすことが出来るので、避難時に迅速な行動に移れる。
【図面の簡単な説明】
【００１２】
【図１】本考案頭巾の使用前の状態を示す斜形図
【図２】視野と聴覚を保持した展開図の裏面。
【符号の説明】
【００１３】
１  頭巾
２  透明部  フード
３  聴覚確保小穴
４  ライトポケット
５  ポケットおよび住所・氏名・電話番号・血液型記入欄
６  前部留めゴム紐
７  インスタントファスナー  右
８  インスタントファスナー  左
【図１】
0003135186.tif 000003
【図２】
0003135186.tif 000004